(57)【要約】      （修正有）【課題】本発明は、従来の問題点に鑑みて、薄型の電子機器の使用状態を使用者の条件に合わせることができる使い勝手のよい組み合わせデスクを提供する。【解決手段】組み合わせデスクを、机本体と、机本体と組み合わせて使用する書棚と、薄型電子機器５を立てることができる収納ケース４で構成し、書棚は、机本体の天板面より上方に配置される部分において、少なくとも、左右の側板と、左右の側板間に配置される中間仕切り板３１３と、左右いずれかの側板と中間仕切り板間に着脱可能に架設され、上下方向に移設可能な棚板３１４と、側板と他方側の側板と中間仕切り板間に着脱可能に架設され上下方向に移設可能な棚板を備え、収納ケースは、上面側に薄型電子機器立て機能を備え、外部と連通する連通孔を有する収納空間を備え、収納ケースを、中間仕切り板を中心として左右対称位置に配置可能に、かつ、棚板の下方部と上面に配置可能とする。【選択図】図１３
2020202942.tif 000002
【特許請求の範囲】
【請求項１】
学習などに使用される組み合わせデスクにおいて、組み合わせデスクは主に、机本体と、机本体上や机本体の背面などに机本体と組み合わせて使用する書棚と、薄型電子機器を立てることができる収納ケースを備え、書棚は、机本体の天板面より上方に配置される部分において、少なくとも、左右の側板と、左右の側板間に配置される中間仕切り板と、左右いずれかの側板と中間仕切り板間に着脱可能に架設され、上下方向に移設可能な棚板と、該側板と他方側の側板と中間仕切り板間に着脱可能に架設され上下方向に移設可能な棚板を備え、収納ケースは、上面側に薄型電子機器立て機能を備えるとともに、薄型電子機器立て機能部の下方部に外部と連通する連通孔を有する収納空間を備えるものであって、該収納ケースを、書棚の正面視において、中間仕切り板を中心として左右対称位置に配置可能に、かつ、前記棚板の下方部と上面に配置可能に構成されることを特徴とする組み合わせデスク。
【請求項２】
棚板の下方部に配置された収納ケースが中間仕切り板を挟んで左右方向にスライド移動可能に中間仕切り板の下部が上方に退避されていることを特徴とする請求項１に記載の組み合わせデスク。
【請求項３】
中間仕切り板を挟んで左右方向に配置される棚板の少なくともいずれか一方側の棚板は、下部に引き出しを備えることを特徴とする請求項１、あるいは、請求項２に記載の組み合わせデスク。
【発明の詳細な説明】
【技術分野】
【０００１】
本発明は、書棚と組み合わされて使用される組み合わせデスクに係り、詳しくは、タブレットやスマートフォンといった薄型の電子機器を使用し易くする組み合せデスクに関するものである。
【背景技術】
【０００２】
近年、タブレットやスマートフォンといった薄型の電子機器は、広く普及しており、これらの薄型の電子機器は、仕事に及ばず学習においても活用されており、デスクにおいても薄型の電子機器が使用しやすいように、デスク天板やデスク上棚に薄型の電子機器立て（タブレット立て）機能を持たせるものが提案されている（例えば特許文献１）。
【０００３】
しかしながら、このような薄型の電子機器立ては、容易に動かせるものではなく、机の所定の位置に固定されたものであって、固定された位置に立てられた薄型の電子機器に合わせて、ノートや教科書、道工具などの物品を配置する必要があり、これら物品を、例えば、利き腕に合わせた配置や身長に合わせた配置などといったように自由な配置を行い難いものであった。また、組み合わせデスクの場合、デスクの天板下方部に移動式のワゴンを配置して使用されることが多いが、この場合、デスクの使用者は、デスクの左右方向の中心位置ではなく、左右のいずれかに寄って使用することになる。そのため、使用者の体勢も薄型の電子機器立ての位置に合わせることが必ずしも容易ではなく使い易いものではなかった。
【先行技術文献】
【特許文献】
【０００４】
【特許文献１】特開２０１９−００３２９５公報
【発明の概要】
【発明が解決しようとする課題】
【０００５】
本発明は、従来の問題点に鑑みて、薄型の電子機器の使用状態を使用者の条件に合わせることができる使い勝手のよい組み合わせデスクを提供することを課題とする。
【課題を解決するための手段】
【０００６】
本発明は、前記課題を解決するために第１の手段として、組み合わせデスクを、主に机本体と、机本体上や机本体の背面などに机本体と組み合わせて使用する書棚と、薄型電子機器を立てることができる収納ケースとを組み合わせて構成し、書棚は、机本体の天板面より上方に配置される部分において、少なくとも、左右の側板と、左右の側板間に配置される中間仕切り板と、左右いずれかの側板と中間仕切り板間に着脱可能に架設され、上下方向に移設可能な棚板と、該側板と他方側の側板と中間仕切り板間に着脱可能に架設され上下方向に移設可能な棚板を備え、収納ケースは、上面側に薄型電子機器立て機能を備え、薄型電子機器立て機能部の下方部に外部と連通する連通孔を有する収納空間を備え、該収納ケースを、書棚の正面視において、中間仕切り板を中心として左右対称位置に配置可能に、かつ、前記棚板の下方部と上面に配置可能に適正化された書棚を持つ構成とした。
【０００７】
次に第２の手段として、前記第１の手段として構成したところに加え、棚板の下方部に配置された収納ケースが中間仕切り板を挟んで左右方向にスライド移動可能に中間仕切り板の下部が上方に退避されている構成とした。
【０００８】
次に第３の手段として、前記第１の手段として構成したところ、あるいは、第２の手段として構成したところに加え、中間仕切り板を挟んで左右方向に配置される棚板の少なくともいずれか一方側の棚板は、下部に引き出しを備える構成とした。
【発明の効果】
【０００９】
前記第１の手段の発明によると、
薄型電子機器立て機能部を有する収納ケースが、書棚の棚板の下方や中間仕切り板を中心に左右対称位置に配置できるので、組み合わせデスクの使用者の好みに合わせて収納ケースを配置することができる。
また、収納ケースには、外部と連通する連通孔を持つ収納部があるので、該収納部に薄型電子機器の充電器などの付属品を収容できるだけでなく、テーブルタップといった延長コンセント器具のコンセント部を収納部に配置し、連通孔から、延長コード部分を排出することが可能で、該コンセント部に充電器を差し込み、充電コードを連通孔から排出し薄型電子機器に差し込むことができるので、薄型電子機器の電源を気にすることがなく、書棚の適正な位置に収納ケースを配置し薄型電子機器を使用することができる。
そして、収納ケースの上面に薄型電子機器立て機能があるので、薄型電子機器立てた収納ケースをデスク上の好みの位置に移動して、薄型電子機器を使用することができる。
【００１０】
前記第２の手段の発明によると、前記の効果に加え、棚板の下方部に配置された収納ケースを、一旦手前に出すことなく左右方向に移動できるので、収納ケース前に置いた物品を移動させる必要がなく使い勝手がよい。
【００１１】
前記第３の手段の発明によると、前記の効果に加え、デスク上方で使用できる引き出しを備えるので、収納ケースに収納しないイヤホンなどの薄型電子機器用の物品を収容できるので使い勝手よい。
【図面の簡単な説明】
【００１２】
【図１】机本体の正面図。
【図２】机本体の右側面図。
【図３】書棚の正面図。
【図４】書棚を机本体の背面に設置した状態の右側面図。
【図５】図３のＡ−Ａ線断面図。
【図６】上部書棚を机本体上部に設置した状態の右側面図。
【図７】収納ケースの斜視図。
【図８】収納ケースの分解斜視図。
【図９】収納ケースに薄型電子機器を載置した示す断面図。
【図１０】収納ケースの内部収納空間の使用状態を示す平面概略図。
【図１１】机本体上の上部書棚に収納ケースを配置した状態の正面図１。
【図１２】机本体上の上部書棚に収納ケースを配置した状態の正面図２。
【図１３】机本体上の上部書棚に収納ケースを配置した状態の正面図３。
【図１４】机本体上の上部書棚に収納ケースを配置した状態の正面図４。
【図１５】収納ケースと可動仕切り板の関係を示す要部断面図。
【発明を実施するための形態】
【００１３】
薄型の電子機器を使用者の条件に合わせて配置できる使い勝手のよい組み合わせデスクとするため形態を実施例に基づいて以下に説明する。
【００１４】
第１実施例を、添付図面に基づいて詳述する。
図１、図２において、符号１は机本体を示し、机本体１は天板本体部１０と、天板本体部１０の左右端部側に連結ネジにて連結された左右脚体２、２より構成されている。
符号２０は左右脚体２、２を連結する脚体補強材を示し、図３、図４において、符号３は、机１と連結可能な書棚を示し、図１１において符号４は、薄型電子機器立てを有する収納ケースを示しており、机本体１と書棚３と収納ケース４が組み合わされて組み合わせデスク１００が構成される。
【００１５】
天板本体部１０は、図１に示すように、主に左右方向に長い長方形板状の天板１１と、天板１１下面部に配置される左右の引き出しを有する引き出しユニット１２で構成されている。
【００１６】
左右脚体２、２は対向した対称形に形成されているので、一方側のみ説明する。
右側脚体２は、前後に離間して配置する棒状の前支持脚２１、後支持脚２２と、前支持脚２１、後支持脚２２の上部で、前支持脚２１と後支持脚２２を連結する上部補強材２２１、前支持脚２１と後支持脚２２の下部で、前支持脚２１と後支持脚２２を連結する下部補強材２２２で構成されている。
そして、左右脚体２、２は、前記左右天板側板１２、１２の側面にネジ止め固定される。
【００１７】
書棚３は、図３、図５に示すように、主に下部書棚３０と下部書棚３０の上部に連結する上部書棚３１で構成され、上部書棚３１は下部書棚３０から分離して、机本体１の天板１１の上面に載置し、机本体１と連結されて使用することも可能なものである。
【００１８】
収納ケース４は、図７、図８に示すように、主に上面が開口部とされる箱状のケース本体４０と、該開口部を閉塞するカバー体４００で構成される。
【００１９】
ケース本体４０は、上面が前方に向かって下がっていく傾斜面とされる側面視台形状の左右の側面板４１、４１と、側面板４１、４１の前端部で側面板４１、４１を連結する側面板４１の前端と同じ高さに設定される前面板４２と、側面板４１、４１の後端部で側面板４１、４１を連結する側面板４１の後端と同じ高さに設定される背面板４３と、側面板４１、４１と前面板４２と背面板４３で形成された横長長方形状の下面開口部を閉塞する底板４４で形成されている。
側面板４１には、左右方向に連通する左右連通孔４１ａが設けられ、背面板４３には、前後方向に連通する前後連通孔４３ａが設けられ、側面板４１の、側面板４１、４１の対向面側に後述する載置ピン用の取り付け孔が前後に離間して２箇所設けられ、それぞれの取り付け孔に載置ピン４１ｃが取り付けられている。
【００２０】
底板４４には、上下方向に貫通する貫通孔４４ａが複数個設けられており、貫通孔４４ａは、ケース本体４０の内部に熱気が篭らないようにする通気孔ではあるが、後述するテーブルタップなどを仮止めするバンドの通し孔として使用することも可能である。そのため、底板４４の下面には、フェルト状の脚材が貼り付けられ、底板４４の下面が、収納ケース４が載置される面より上方に離間して底上げされた状態となるように施されている。
当然ながら、フェルト状の脚材で底上げされた状態とするのではなく、底板４４の下面を側面板４１下面より上方になるように底板４４自体を底上げして配置してもよい。
【００２１】
カバー体４００は、ケース本体４０の上部開口部を閉塞する大きさの板状のカバー板４０１と、カバー板４０１と同じ左右幅で、カバー板４０１の後ろ端から薄型電子機器の厚さよりやや大きい寸法前方に寄りで上方に向かって立設する押さえ板４０２で構成され、カバー体４００の上面側の表面には、起毛処理した布状の表面化粧材が貼られている。
カバー板４０１の左右両端、中央部前後端には半円形状の切り欠き孔４０１ａ・・・が設けられている。
【００２２】
次に、ケース本体４０の側面板４１、４１の取り付け孔に載置ピン４１ｃ・・・が取り付けられる。尚、取り付け孔は、前後方向に離間しているが、下部からの高さ位置は同じに設定されているから、載置ピン４１ｃ、４１ｃは前後方向で水平高さに取り付けられていることになる。
そして、該載置ピン４１ｃ・・・にカバー体４００を載置することによって収納ケース４は組立完了となる。
載置ピン４１ｃ・・・の高さ位置は、カバー体４００が側板４１の上面の前端より、少し下方の位置になるように設定されている。載置ピン４１ｃ、４１ｃは前後方向で水平高さ位置なので、カバー体４００も水平に載置される。したがって、側板４１の上面は後ろに向かって上方に傾斜しているから、背面板４３は、カバー体４００の後端上面より上方に突出した状態となる。
【００２３】
そして、収納ケース４は次のように使用される。
まず、薄型電子機器立てとしての使い方は、カバー体４００の押さえ板４０２と、ケース本体４の背面板４３間に薄型電子機器５の下端部を挿入する。そして、薄型電子機器５の上端を背面方向にやや傾ける。
このようにすると、薄型電子機器５の下端部はカバー板４０１の上面に載り、薄型電子機器５の下端部前面が、押さえ板４０２の背面側に当接し、薄型電子機器５の下方部背面が、背面板４３の上面の先方側の角に当接する。
この状態で、薄型電子機器部５は押さえ板４０２と背面板４３に前後で挟まれたような状態となるので、薄型電子機器部を５カバー体４００上で立たせることが可能となる。
【００２４】
そして、薄型電子機器部５を立たせない場合には、薄型電子機器５の下端部をカバー体４００の前方部に載置し、薄型電子機器部５の上部背面部を押さえ板４０２の上面に載置する。このようにすると、薄型電子機器部５の後部側がやや上方に持ちあがった状態なるので、薄型電子機器部５を上から覗き込むような時に適している。
また、薄型電子機器部５の背面とカバー板４０１には隙間が生じているため、カバー板４０１が取りやすくなる。
尚、カバー体４００の上面側の表面には、起毛処理した布状の表面化粧材が貼られているから、薄型電子機器部５が傷つき難くなるばかりか、薄型電子機器部５の滑りを防止することや、薄型電子機器部５を載置するときの薄型電子機器部５とカバー体４００との接触音を低減することができる。
【００２５】
次に、収納ケース４の収納空間の使用方法について説明する。
ケース本体４０の内部とカバー体４００の下方部で形成された空間が内部収納空間４Ａとなる。そして、内部収納空間４Ａの上方で開口部を閉塞するカバー体４００の左右の切り欠き孔４０１ａ、４０１ａに指を挿入してカバー体４００を持ち上げ、カバー体４００を取り外し、内部収納空間４Ａを開放する。
そして、内部収納空間４Ａに、コンセントの差し込み口を備えるコンセント部６ａと延長電源コード６ｂと差し込みプラグ６ｃを備えるテーブルタップ６のコンセント部６ａを置き、差し込みプラグ６ｃを背面板４３に設けられた前後連通孔４３ａに通し、内部収納空間４Ａから外部に延長電源コード６ｂを取り出す。
次に、必要に応じて底板４４の貫通孔４４ａ、４４ａ間に紐状のバンドを通し、該バンドにてコンセント部６ａを固定する。
【００２６】
そして、該コンセント部６ａに、充電器やＰＣ用のアダプターなどを差し込み、充電器やアダプターのコードを、側面板４１の左右連通孔４１ａや背面板４３の前後連通孔４３ａなどから外部に取り出す。
そして、取り外しておいたカバー体４００をもとに戻す。前記充電器やアダプターのコードは、カバー体４００の切り欠き孔４０１ａ、４０１ａから外部に取り出すこともできる。最後にテーブルタップ６の外部に取り出した差し込みプラグ６ｃを電源コンセントに差込むと充電器やＰＣ用のアダプターなどは使用可能となり、薄型電子機器５を収納ケース４に立てかけた状態で充電も可能となる。
このように、収納ケース４に電源の役割を持たせることができるから、収納ケース４を移動しても薄型電子機器５の電源を近くに確保できるので、電源コードが乱雑になることを抑えることが可能である。
【００２７】
このように構成された収納ケース４を、組み合わせデスクで使いやすくするため、書棚３は最適化されているが、書棚３について説明する。
書棚３は、前述のとおり、主に下部書棚３０と下部書棚３０の上部に連結する上部書棚３１で構成される。
下部書棚３０は、図３、図５に示すように、大収納部３０ａと小収納部３０ｂで構成され下部書棚３０の上面が、机本体１の天板１１の上面と同じ高さとなるように設定され、小収納部３０１は、垂直軸を中心に回転できるように形成されている。
大収納部３０ａは、平面視において、天板１１と略同じ横幅で、奥行きは、机の天板１１の奥行き寸法の約半分程度に設定された横長長方形のベース体３０１と、ベース体３０１の小収納部３０ｂ側と対向側の側端部の上面に立設する下側板３０２と、該側端部の対向端部より小収納部３００が収まる寸法分内側寄りの上面に立設する中側板３０３と、下側板３０２、中側板３０３の上端面に載置、着脱自在に連結される平面視においてベース体３０１と略同形に形成される板状の書棚天板３００と、下側板３０２、３０３間に着脱自在に架設される上下背板３０５、３０５、中間背板３０６と、同じく下側板３０２、３０３間に着脱自在に架設される大棚板３０８で構成されている。
そして、大収納部３００は平面視で横長長方形になるように形成され、長辺の一面側、すなわち、背板の対向面側が開放された開口部とされ、収納部の物品の出し入れ口とされる。
【００２８】
このように構成される大収納部３００には、図３に示すように、中側板３０３から、側方に向かってベース体３０１と書棚天板３００が突き出しており、該突き出し部に小収納部３０ｂが垂直軸を中心に回転可能に配置されている。
小収納部３０ｂは、平面視で略正方形に形成される収納棚であって、大収納部３０ａに垂直軸を中心に回転可能に配置され、小収納部３０ｂの収納部の物品の出し入れ部の面の向きを前後左右で変更することできるように施されている。
【００２９】
このように構成された下部書棚３０の上面に上部書棚３１が連結配置されている。
上部書棚３１は、主に、左右一対の側板３１１、３１１と、側板３１１、３１１の後端部で側板３１１、３１１を連結する背板３１２で構成された平面視コ字状の上部書棚本体３１０と、側板３１１、３１１の中間部で背面板３１２に連結される中間仕切り板３１３と、側板３１１と中間仕切り板３１１間に架設される棚板３１４と、側板３１１と中間仕切り板３１１間に架設される引き出し付棚板３１５で構成される。  
【００３０】
側板３１１、３１１の側面のそれぞれの対向面側に棚受けダボを取り付ける棚受け孔３１１ａが前後に離間して、かつ、上下方向に離間して複数設けられており、また、中間仕切り板３１３にも、棚受け孔３１１ａに対応して、棚受け孔３１３ａが複数設けられており、棚受け孔３１１ａ、棚受け孔３１３ａに棚受けダボを取り付けて、棚受けダボ上に棚板３１４、あるいは、引き出し付棚板３１５を載置して、棚板３１４、引き出し付棚板３１５を棚板として使用できるようにする。
棚受け孔３１１ａ、３１３ａは、上下方向に離間して複数設けられているから、棚受けダボを上下方向に移設することによって、棚板３１４、引き出し付棚板３１５の設置位置を上下方向に移動することが可能となる。
また、棚板３１４、引き出し付棚板３１５には、後方から合成樹脂製のブラケット３２１を介して挟持保持され左右スライド移動可能な可動仕切り板３２が着脱可能に設置される。
【００３１】
尚、上部書棚本体３１０の左右幅は、下部書棚３１と同じ幅に設定され、上部書棚本体３１０の前後長さも、下部書棚３１と同じ長さに設定される。
また、実施例においては、上部書棚３１の左右いずれか一方の側板３１１と中間仕切り板３１３と、他方側の側板３１１と中間仕切り板３１３間は同じ寸法に設定されているから、棚板３１４、引き出し付棚板３１５は左右方向で入れ替え可能である。
【００３２】
このように構成された上部書棚３１は、下部書棚３０の上面に載置され、連結金具によって下部書棚３０に連結され、書棚３が構成される。
そして、書棚３は、机本体１の左右幅方向と同じ幅に形成されているとともに、下部書棚３０の書棚天板３００の上面と机本体１の天板１１の上面が同じ高さに設定されているので、書棚３を机本体１の背面部に配置すると、天板１１の奥ゆき方向で、書棚天板３００が天板１１と連続した天板面として使用できる。
上部書棚３１を下部書棚３０から分離して、机本体１の上面に載置する場合でも、上部書棚３１の幅は机本体１の幅と略同じであるから、机本体１からはみ出すことがない。
【００３３】
ケース本体４０の幅方向を、上部書棚３１の左右いずれか一方の側板３１１と中間仕切り板３１３と、他方側の側板３１１と中間仕切り板３１３間に挿入可能な幅に設定し、前後方向の長さを、上部書棚３１の背板３１２の前面から、側板３１１の前端までに納まる長さに設定している。
実施例においては、上部書棚３１の左右いずれか一方の側板３１１と中間仕切り板３１３と、他方側の側板３１１と中間仕切り板３１３間は同じ寸法に設定されているから、ケース本体４０の幅方向は、側板３１１と中間仕切り板３１３間に入る中での最大幅寸法に設定している。
このように設定することにより、収納ケース４を書棚に配置した状態で、収納ケース４の左右方向に無駄となるような空間があくことがない。
【００３４】
また、図１５に示すように、可動仕切り板３２を棚板３１４に対して下面に吊り下げられるように設置するように設定された書棚に収納ケースを使用する場合には、ブラケット３２１の挟持部が、収納ケース４に干渉しないように、収納ケース本体４０の背面板４３の下面に切り欠きを設け、さらに底板４４を持ちあげた位置に設定すると、ブラケット３２１の左右の移動スペースが形成され、可動仕切り板３２と収納ケース４を合わせて使用することができる。
当然ながら、背面板４３の下端を持ち上げて、側面板４１の後部下部に切り欠きを設けてブラケット３２１の左右の移動スペースを確保してもよい。
【００３５】
このように机本体１と書棚３と収納ケース４が構成された組み合わせデスク１００での収納ケース４の使い方を説明する。
尚、上部書棚３１は、下部書棚３０に載置された状態でも、机本体１の上面に載置された状態でも机本体１の天板１１の上面の上方になるように配置されている。
机本体１の天板１１と下部書棚３０の書棚天板３００は、上面が同じ高さに設定されているから、上部書棚３１は、下部書棚３０に載置された状態でも、机本体１の上面に載置された状態でも上部書棚３１は同様な使い勝手となるため、天板１１と書棚天板３００は、便宜的に天板Ａとして説明する。
【００３６】
上部書棚３１が天板Ａ上に載置連結された状態で、収納ケース４を、棚板３１４の下の天板Ａ上に配置する。
そして、棚板３１４を収納ケース４の上面付近まで下げた状態に設定すると、天板Ａと棚板３１４間は収納ケース４の収容スペースとして最適化される。
収容ケース４を引き出し付棚板３１５の下の天板Ａ上に配置した場合でも同様であって、引き出し付棚板３１５を収納ケース４の上面付近まで下げた状態に設定すると、天板Ａと棚板３１４間は収納ケース４の収容スペースとして最適化される。
この状態での収納ケース４のカバー体４００の上面に寝かせた状態で置かれた薄型電子機器５は、収納ケース本体４０の前面側が背面側より低いので、棚板３１４や引き出し付棚板３１５の下方部前側から視認でき、また、取り出すこともできる。
また、中間仕切り板３１５の下端は、天板Ａ上から収納ケース４の高さ以上持ち上げられているので、天板Ａに載置された収納ケース４は左右方向にスライド移動可能であるので、組み合わせデスクの使用者の好みに合わせて、収納ケース４の収納位置を調整できる。
【００３７】
そして、収納ケース４を手前に引き出し、天板Ａ上で薄型電子機器５を前述のように収納ケース４上に立たせて使用する。
また、収納ケース４を棚板３１４や引き出し付棚板３１５上に載置し、棚板３１４や引き出し付棚板３１５上で薄型電子機器５を立てることができる。この場合、薄型電子機器５はデスク使用者の眼線高さに近くなるので、薄型電子機器５の視認性がよくなる。
【００３８】
次に、前述のように収容ケース４を棚板３１４、あるいは引き出し付棚板３１５の下の天板Ａ上に配置した状態で、棚板３１４、あるいは引き出し付棚板３１５の架設高さを上げた状態に設定すると、収納ケース４の上部と棚板３１４、あるいは引き出し付棚板３１５の下面部に空間ができるため、収納ケース４を移動することなく、薄型電子機器５を収納ケース４に立てることができる。この状態で、薄型電子機器５は使用者の眼線高さよりやや低めになるので、薄型電子機器５をやや視線を下げて視認することになるので、ｅラーニングなどのように薄型電子機器５の画面と手元のノートや教科書などを見ながらの学習に適している。
また、この状態では、棚板３１４や引き出し付棚板３１５の上面に物品を載置して棚板上を別の収納として使用することができる。
【００３９】
さらに、棚板３１４、あるいは引き出し付棚板３１５の架設高さを上げた状態で、棚板上に収納ケース４を載置して、天板Ａと棚板３１４、あるいは引き出し付棚板３１５の下面部間を収納部として使用することができる。
また、棚板３１４ａを追加して、棚板３１４ａを棚板３１４や引き出し付棚板３１５と上下方向に離間して設置すると、棚板３１４ａと棚板３１４上下間、あるいは引き出し付棚板３１５との上下間を収納ケース４の収容部として設定することもできる。
したがって、図１４に示すように、上部書棚３１の棚板を、棚板３１４、３１４ａ、引き出し付棚板３１５の組み合わせとすると、収納ケース４の配置箇所を多く設定でき、収納ケースを上部書棚３１の好みの位置に移動して使用することがさらに可能となる。
引き出し付棚板３１５の引き出しは、収容ケース４の配置に近傍した位置になるため、薄型電子機器５で使用するイヤホンやタッチペンなど収納スペースとして最適である。
【００４０】
このように、収納ケース４を棚板３１４や引き出し付棚板３１５の下部であっても上部であっても収容でき、かつ、棚板３１４や引き出し付棚板３１５の高さを設定することによって、収納カース４が上部書棚３１の収容されるどの状態であっても、薄型電子機器立てとして使用できるようにすることができる。そのため、デスクの使用者の好みに合わせることが可能となる。
【産業上の利用可能性】
【００４１】
以上のように、本発明は、薄型電子機器立てを有する収納ケースを書棚に配置できるように最適化されたものであるから、組み合わせデスクに限らず、天板と収納部が組み合わされたテーブルや作業台や陳列台といったように広く利用することができる。
【符号の説明】
【００４２】
１        机本体
１０      天板本体部
１００    組み合わせデスク
１１      天板
３        書棚
３０      下部書棚
３１      上部書棚
３１０    上部書棚本体
３１１    側板
３１２    背板
３１３    中間仕切り板
３１４    棚板
３１５    引き出し付棚板
３１１ａ  棚受け孔
３１１ｂ  棚受けダボ
３２      可動仕切り板
３２１    ブラケット
４        収納ケース
４Ａ      内部収納空間
４０      ケース本体
４１      側面板
４１ａ    左右連通孔
４１ｂ    前後連通孔
４２      前面板
４３      背面板
４３ａ    前後連通孔
４４      底板
４４ａ    貫通孔
４００    カバー体
４０１    カバー板
４０１ａ  切り欠き孔
４０２    押さえ板
５        薄型電子機器部
６        テーブルタップ
Ａ        天板
【図１】
2020202942.tif 000003
【図２】
2020202942.tif 000004
【図３】
2020202942.tif 000005
【図４】
2020202942.tif 000006
【図５】
2020202942.tif 000007
【図６】
2020202942.tif 000008
【図７】
2020202942.tif 000009
【図８】
2020202942.tif 000010
【図９】
2020202942.tif 000011
【図１０】
2020202942.tif 000012
【図１１】
2020202942.tif 000013
【図１２】
2020202942.tif 000014
【図１３】
2020202942.tif 000015
【図１４】
2020202942.tif 000016
【図１５】
2020202942.tif 000017